(57)【要約】      （修正有）【課題】医用イメージングシステム（特に磁気共鳴トモグラフィシステム）を運動検出に関して最適化する。【解決手段】医用イメージングシステム、特に磁気共鳴トモグラフィシステムにおいて患者１０５の運動ＡＢを検出するためのモーションセンサＡＳであって、モーションセンサＡＳが、ＨＦ信号源ＨＦ−Ｓｉ−Ｓｒｓから患者に照射されるＨＦ信号ＨＦ−Ｓｉを送信Ｃｐｌ−ｉｎし、かつその信号ＨＦ−Ｓｉを受信Ｃｐｌ−ｏｕｔ，ＨＦ−Ｆｉｌｔ，ＨＦ−Ｄｔｅｃｔするための少なくとも１つのＨＦ共振器ＨＦ−Ｒｅｓを有し、モーションセンサＡＳが、患者１０５の運動ＡＢを検出するための検出器ＨＦ−Ｆｉｌｔ，ＨＦ−Ｄｔｅｃｔを有する。【選択図】図１
2016131880.tif 000002
【特許請求の範囲】
【請求項１】
医用イメージングシステムにおいて、患者（１０５）の運動（ＡＢ）を検出するためのモーションセンサ（ＡＳ）であって、
ＨＦ信号源（ＨＦ−Ｓｉ−Ｓｒｓ）から患者に供給されるＨＦ信号（ＨＦ−Ｓｉ）を送信（Ｃｐｌ−ｉｎ）し、かつその信号（ＨＦ−Ｓｉ）を受信（Ｃｐｌ−ｏｕｔ，ＨＦ−Ｆｉｌｔ，ＨＦ−Ｄｔｅｃｔ）するための少なくとも１つのＨＦ共振器（ＨＦ−Ｒｅｓ）を有し、
前記患者（１０５）の運動（ＡＢ）を検出するための検出器（ＨＦ−Ｆｉｌｔ，ＨＦ−Ｄｔｅｃｔ）を有することを特徴とするモーションセンサ。
【請求項２】
前記ＨＦ共振器（ＨＦ−Ｒｅｓ）によって送信可能な前記ＨＦ信号（ＨＦ−Ｓｉ）の周波数が、磁気共鳴トモグラフィシステム（１０１，１０８）の形での前記医用イメージングシステムの送信可能な高周波励起パルスＢ１（ｘ，ｙ，ｚ，ｔ）の周波数と異なることを特徴とする請求項１記載のモーションセンサ。
【請求項３】
唯一の又は複数のＨＦ共振器（ＨＦ−Ｒｅｓ）が設けられていることを特徴とする請求項１又は２記載のモーションセンサ。
【請求項４】
前記ＨＦ共振器（ＨＦ−Ｒｅｓ）が、少なくとも１つのコイル（ＬＲ）と少なくとも１つのコンデンサ（ＣＲ）とを備えたＬＣ共振器を有することを特徴とする請求項１乃至３の１つに記載のモーションセンサ。
【請求項５】
前記ＨＦ共振器（ＨＦ−Ｒｅｓ）によって受信されたＨＦ信号（ＨＦ−Ｓｉ）が、狭帯域幅のＨＦ検出器（ＨＦ−Ｆｉｌｔ，ＨＦ−Ｄｔｅｃｔ）により検出されることを特徴とする請求項１乃至４の１つに記載のモーションセンサ。
【請求項６】
患者の息吸込み状態と息吐出し状態とにおいて検出された前記ＨＦ信号（ＨＦ−Ｓｉ）の差（Ｓ２１Ｄｉｆｆ）が測定されることを特徴とする請求項１乃至５の１つに記載のモーションセンサ。
【請求項７】
前記ＨＦ共振器（ＨＦ−Ｒｅｓ）は、ＨＦ共振器（ＨＦ−Ｒｅｓ）の誘導された電磁場（ＨＦ−Ｓｉ）が患者（１０５）の身体内に印加され、それにより前記ＨＦ共振器（ＨＦ−Ｒｅｓ）と前記患者（１０５）の身体との間の相互作用（ＷＷ）が可能にされるように構成されていることを特徴とする請求項１乃至６の１つに記載のモーションセンサ。
【請求項８】
少なくとも１つのＨＦ共振器（ＨＦ−Ｒｅｓ）が、患者（１０５）の胸部範囲（ＢｒＢ）および腹部範囲（ＢａＢ）の少なくとも一方の、近傍、下方又はその両方に配置されていることを特徴とする請求項１乃至７の１つに記載のモーションセンサ。
【請求項９】
磁気共鳴トモグラフィシステム（１０１）の患者用テーブル（１０４）内に配置されていることを特徴とする請求項１乃至８の１つに記載のモーションセンサ。
【請求項１０】
前記ＨＦ共振器（ＨＦ−Ｒｅｓ）が、磁気共鳴トモグラフィシステム（１０１）のトンネル表面の裏側であって、患者の上方に配置されていることを特徴とする請求項１乃至９の１つに記載のモーションセンサ。
【請求項１１】
前記ＨＦ共振器（ＨＦ−Ｒｅｓ）の負わされたＱ値の変化および透過特性（Ｓ２１）の変化のいずれか一方によって、患者（１０５）の動きおよび患者（１０５）の体内の解剖学的構造の変位の少なくとも一方を検出するように構成されていることを特徴とする請求項１乃至１０の１つに記載のモーションセンサ。
【請求項１２】
前記透過特性（Ｓ２１）の時間的変化に基づいて、患者運動又は患者（１０５）の体内の解剖学的構造の変位を検出するように構成されていることを特徴とする請求項１乃至１１の１つに記載のモーションセンサ。
【請求項１３】
前記ＨＦ共振器（ＨＦ−Ｒｅｓ）の寸法が、前記ＨＦ信号（ＨＦ−Ｓｉ）の波長よりも小さいことを特徴とする請求項１乃至１２の１つに記載のモーションセンサ。
【請求項１４】
前記ＨＦ共振器（ＨＦ−Ｒｅｓ）が、誘導性および容量性の少なくとも一方の近接領域内で、誘導性および容量性の少なくとも一方のセンサとして、動作するように構成されていることを特徴とする請求項１乃至１３の１つに記載のモーションセンサ。
【請求項１５】
ＭＲＴ（１０１）により、患者（１０５）の呼吸運動を非接触で測定するように構成されていることを特徴とする請求項１乃至１４の１つに記載のモーションセンサ。
【請求項１６】
使用される前記ＨＦ信号が、１０ｍＷよりも少ない出力を有することを特徴とする請求項１乃至１５の１つに記載のモーションセンサ。
【請求項１７】
ＭＲＴ（１０１）において、患者（１０５）の呼吸運動を検出するための呼吸センサであることを特徴とする請求項１乃至１６の１つに記載のモーションセンサ。
【請求項１８】
磁気共鳴トモグラフィシステム（１０１）に接続されており、前記磁気共鳴トモグラフィシステム（１０１）が、透過特性（Ｓ２１）の時間的変化および患者（１０５）の体内の解剖学的構造の変位の少なくとも一方に基づいて検出されて測定された身体運動を、前記患者（１０５）の身体の画像を生成するための前記磁気共鳴トモグラフィシステム（１０１）により決定された画像データを補正する際に考慮するように構成されていることを特徴とする請求項１乃至１７の１つに記載のモーションセンサ。
【請求項１９】
前記医用イメージングシステムが、磁気共鳴トモグラフィシステム（１０１）であることを特徴とする請求項１乃至１８の１つに記載のモーションセンサ。
【請求項２０】
前記ＨＦ共振器（ＨＦ−Ｒｅｓ）への前記ＨＦ信号（ＨＦ−Ｓｉ）の供給および前記ＨＦ共振器（ＨＦ−Ｒｅｓ）からの前記ＨＦ信号（ＨＦ−Ｓｉ）の取り出しの少なくとも一方が、誘導的に（Ｃｐｌ−ｉｎ，Ｃｐｌ−ｏｕｔ）又は容量的に又は他の結合により行われていることを特徴とする請求項１乃至１９の１つに記載のモーションセンサ。
【請求項２１】
医用イメージングシステムにおいて患者（１０５）の運動（ＡＢ）を検出するための方法であって、請求項１乃至２０の１つに記載のモーションセンサ（ＡＳ）が使用されることを特徴とする方法。
【発明の詳細な説明】
【技術分野】
【０００１】
本発明は、医用イメージングシステム、特に磁気共鳴トモグラフィシステムにおいて、患者の動きを検出するためのモーションセンサおよび方法に関する。
【背景技術】
【０００２】
磁気共鳴トモグラフィシステムにおける運動検出（特に、呼吸検出）のための方法が、例えば、次の刊行物に記載されている。
【０００３】
非特許文献１には、ＭＲＴのボディコイルの反射係数の測定によって呼吸運動を検出できることが記載されている。
【０００４】
特許文献１は、患者の下方に配置されたセンサコイルの反射係数を測定することにより呼吸検出をする方法に関する。
【０００５】
特許文献２は、運動する器官の位置を検出するための測定装置に関する。
【先行技術文献】
【特許文献】
【０００６】
【特許文献１】独国特許出願第１０２０１４２０９４８８．７号明細書（R.Rehner, A.Fackelmeiser, S.Bilberによる共同発明“Atemerfassung durch koerpernahe posterior Hochfrequenz-Spulen”「身体近くの後部の高周波コイルによる呼吸検出」）
【特許文献２】独国特許出願公開第１９２００９０５２４１２号明細書
【非特許文献】
【０００７】
【非特許文献１】Buikman, Helzel, Roeschmann共著：“The Coil as a Sensitive Motion Detector for MRI-Magnetic-Resonance-Imaging”（磁気共鳴イメージングのための高感度運動検出器としてのコイル），Vol.6, Num.3, 1988 der Firma Philips
【発明の概要】
【発明が解決しようとする課題】
【０００８】
本発明の課題は、医療装置（特に、磁気共鳴トモグラフィシステム）を運動検出に関して最適化することにある。
【課題を解決するための手段】
【０００９】
この課題は、それぞれ独立請求項の特徴事項によって解決される。本発明の実施形態は既存の選択肢に取って代わる効率的な運動検出を可能にする。有利な実施形態は従属請求項に記載し、かつ以下において説明する。
【００１０】
図面に基づく以下における実施例の説明により、本発明の実現可能な実施形態の他の特徴および利点を明らかにする。
【図面の簡単な説明】
【００１１】
【図１】図１はオープン形のＬＣ共振器を有する測定装置の実施例を示すブロック図である。
【図２】図２は身体運動による透過特性Ｓ２１の測定された変化を示すダイアグラムである。
【図３】図３は呼吸による透過特性Ｓ２１の測定された時間的変化を示すダイアグラムである。
【図４】図４はＭＲＴシステムを概略的に示すブロック図である。
【発明を実施するための形態】
【００１２】
図４は、（遮蔽された空間、又はファラデーケージＦ内にある）磁気共鳴イメージング装置ＭＲＴ１０１を（とりわけ、特に技術的背景の説明のためにも）示している。この磁気共鳴イメージング装置ＭＲＴ１０１は、ここでは管状空間１０３を有する中空シリンダ１０２を備えており、その管状空間１０３内において、例えば被検体（例えば患者）１０５の身体を載せた患者用テーブル１０４を、（局所コイル装置１０６と一緒に、又は局所コイル装置１０６なしに）矢印ｚの方向に移動することでき、イメージング法により患者１０５の画像を生成することができる。ここでは、患者１０５の上方に局所コイル装置１０６が配置されており、その局所コイル装置１０６により、ＭＲＴの一部領域（視野領域すなわちＦｏＶとも称される）において、そのＦｏｖ内の被検体１０５の部位の画像を生成することができる。その局所コイル装置１０６の信号は、例えば同軸ケーブル又は無線通信（１６７）等を介して局所コイル装置１０６に接続可能であるＭＲＴ１０１の評価装置（１６８，１１５，１１７，１１９，１２０，１２１等）によって評価することができる（例えば、画像に変換、記憶又は表示することができる）。
【００１３】
磁気共鳴装置ＭＲＴ１０１を用いて被検体１０５（検査対象又は患者）を磁気共鳴イメージングによって検査するために、時間的特性および空間的特性が厳密に互いに調整された異なる磁場が、被検体１０５に照射される。ここではトンネル状の開口１０３を有する測定キャビン内の強い磁石（しばしばクライオマグネット１０７）が、例えば０．２Ｔ〜３Ｔ又はそれ以上の強い主静磁場Ｂ０を生成する。被検体１０５は、患者用テーブル１０４の上に載せられて、観察領域ＦｏＶ（「視野領域」とも称される）内においてほぼ均一である主磁場Ｂ０の領域内へ移動される。被検体１０５の原子核の核スピンの励起は、磁気的な高周波励起パルスＢ１（ｘ，ｙ，ｚ，ｔ）により行われる。この高周波励起パルスＢ１は、ここでは（例えば複数部分＝１０８ａ，１０８ｂ，１０８ｃからなる）ボディコイル１０８として非常に簡略的に示された高周波アンテナか、場合によっては局所コイル装置かのいずれか一方又は両方を介して照射される。高周波励起パルスは、例えばパルス生成ユニット１０９によって生成され、このパルス生成ユニット１０９はパルスシーケンス制御ユニット１１０によって制御される。それらの高周波励起パルスは、高周波増幅器１１１によって増幅された後、高周波アンテナ１０８へ導かれる。ここに図示されている高周波システムは概略的に示されているだけである。１つよりも多いパルス生成ユニット１０９と、１つよりも多い高周波増幅器１１１と、複数の高周波アンテナ１０８ａ，１０８ｂ，１０８ｃとを１つの磁気共鳴装置１０１において使用することもできる。
【００１４】
さらに、磁気共鳴装置１０１は傾斜磁場コイル１１２ｘ，１１２ｙ，１１２ｚを持ち、それらの傾斜磁場コイルにより、測定時にスライス選択励起と測定信号の空間エンコーディングとを行うための傾斜磁場ＢＧ（ｘ，ｙ，ｚ，ｔ）が照射される。これらの傾斜磁場コイル１１２ｘ，１１２ｙ，１１２ｚは、傾斜磁場コイル制御ユニット１１４によって（場合によっては増幅器Ｖｘ，Ｖｙ，Ｖｚを介して）制御され、この傾斜磁場コイル制御ユニット１１４はパルス生成ユニット１０９と同様にパルスシーケンス制御ユニット１１０に接続されている。
【００１５】
（被検体内の原子核の）励起された核スピンから送出された信号は、ボディコイル１０８および／又は少なくとも１つの局所コイル装置１０６によって受信され、付設の高周波前置増幅器１１６によって増幅され、受信ユニット１１７によって後続処理されてディジタル化される。このようにして記録された測定データは、ディジタル化されて複素数値としてｋ空間マトリックス内に格納される。値を割り当てられたｋ空間マトリックスから、多次元フーリエ変換により付属のＭＲ画像を再構成することができる。
【００１６】
例えばボディコイル１０８又は局所コイル１０６のように送信モードでも受信モードでも動作可能であるコイルの場合には、正確な信号転送が前置接続された送受信切替器１１８によって制御される。
【００１７】
画像処理ユニット１１９が前記測定データから画像を生成し、その生成された画像がオペレータコンソール１２０を介して使用者に対して表示されるか、記憶ユニット１２１に記憶されるかのいずれか一方又は両方が行われる。中央コンピュータユニット１２２が個々の設備構成要素を制御する。
【００１８】
ＭＲトモグラフィにおいて、高い信号雑音比（ＳＮＲ）を有する画像が、現在では一般にいわゆる局所コイル装置（Coils, Local Coils）により撮像される。この局所コイル装置は、被検体１０５の上部（anterior）又は下部（posterior）の直近に、又は被検体１０５の表面又は内部に取り付けられるアンテナシステムである。ＭＲ測定では、励起された核が局所コイルの個々のアンテナに電圧を誘起し、その誘起された電圧が低ノイズの前置増幅器（例えばＬＮＡ、プリアンプ）により増幅され、最後に受信電子回路に転送される。高分解能画像の場合にも信号雑音比を改善するために、いわゆる高磁場装置（１．５Ｔ〜１２Ｔ又はそれ以上）が使用される。存在する受信器よりも多い個別アンテナが１つのＭＲ受信システムに接続可能である場合には、受信アンテナと受信器との間に、例えばマトリックススイッチ（部分的にＲＣＣＳとも称される）が組み込まれる。このマトリックススイッチは、現在動作中の受信チャネル（大抵は、ちょうど磁石の視野領域内にある受信チャネル）を、存在する受信器に接続する。それによって、存在する受信器よりも多いコイル素子の接続を行うことができる。というのは、全身をカバーする際に、磁石のＦｏＶ内もしくは均一ボリューム内にあるコイルのみを読み出せばよいからである。
【００１９】
局所コイル装置１０６とは、例えば一般に、例えば１つのアンテナ素子、又はアレイコイルとして複数のアンテナ素子（特にコイル素子）から構成することができるアンテナシステムのことである。これらの個々のアンテナ素子は、例えばループアンテナ（Loops）、バタフライアンテナ、フレックスコイル又は鞍形コイルとして構成されている。１つの局所コイル装置は、例えば複数のコイル素子と、前置増幅器と、他の電子回路（シース電流抑制装置等）と、ハウジングと、載置台と、大抵はその局所コイル装置をＭＲＴ装置に接続するコネクタ付きケーブルとを含む。ＭＲＴ装置側に取り付けられた受信器１６８は、局所コイル１０６によって例えば無線通信等により受信された信号をフィルタ処理してディジタル化し、これらのデータをディジタル信号処理装置に伝送する。このディジタル信号処理装置は、測定によって得られたそれらのデータから、大抵は画像又はスペクトルを導出し、その画像又はスペクトルを、例えば使用者によって後で行われる診断や記憶処理のために使用者に提供する。
【００２０】
図１乃至４は、本発明の好ましい実施形態の幾つかの詳細を示す。
【００２１】
医用イメージングでは、撮像中の願わしくない患者の運動（モーション）が、強い画像アーチファクトをひき起こすることがある。このような望ましくないモーションアーチファクトは、胸部範囲又は腹部範囲において呼吸によっても起こり得る。従って、患者呼吸を検出し、（ＭＲＴ）撮像を呼吸サイクルに同期化することは有意義である。そのことは磁気共鳴トモグラフィの場合、特に有効である。というのは、撮像（ＭＲシーケンス）が数分間継続し、どの患者もそのように長く息を止めることができないからである。
【００２２】
図１は本発明の実施形態を示す。ここでは１つの又は選択的に複数のＨＦ共振器（振動回路）ＨＦ−Ｒｅｓが、患者１０５の近傍内の胸部範囲ＢｒＢか腹部範囲ＢａＢかのいずれか一方又は両方に配置されている。ＨＦ共振器ＨＦ−Ｒｅｓ（このＨＦ共振器か、評価回路を有するモーションセンサＡＳかのいずれか一方又は両方）は、例えば磁気共鳴トモグラフィ装置１０１の患者用テーブル１０４内に組み込むことができる。ＨＦ共振器ＨＦ−Ｒｅｓには、ＨＦ生成器（ＨＦ−Ｓｉ−Ｓｒｓ）からのＨＦ信号が、例えば結合コイルＣｐｌ−ｉｎを介して（又は容量的に例えば結合コンデンサにより、又は他の結合により）注入される。ＨＦ生成器ＨＦ−Ｓｉ−Ｓｒｓにおいて生成されてＨＦ共振器ＨＦ−Ｒｅｓに注入されたＨＦ信号は、（誘導的に、又は容量的に例えば結合コンデンサにより、又は他の異なる結合により）そのＨＦ共振器から（ＣＰｌ−ｏｕｔを介して）再び取り出され、例えば狭帯域幅のＨＦ検出器（ＨＦ−Ｆｉｌｔおよび／又はＨＦ−Ｄｔｅｃｔ）によりフィルタ処理されて検出される。
【００２３】
そのＨＦ共振器の特性（ここでは特にＱ値のような特性）ＷＷが、ここでは患者の呼吸により影響され、それによってＨＦ共振器を介するＨＦ信号の透過特性（Ｓ２１）も変化する。従って、患者が息を吸い込んだ際の透過特性Ｓ２１−ｅと、患者が息を吐出した際の透過特性Ｓ２１−ａとの間の差Ｓ２１Ｄｉｆｆも変化する。この配置は、図１に示しているように、ＨＦ共振器ＨＦ−Ｒｅｓの透過損失の測定を可能にする。
【００２４】
ＨＦ共振器ＨＦ−Ｒｅｓは、ここではＨＦ共振器ＨＦ−Ｒｅｓの誘導された電磁場ＨＦ−Ｓｉが患者１０５の体内に侵入することにより、ＨＦ共振器ＨＦ−Ｒｅｓと患者１０５の身体との間の相互作用が可能にされるように構成されている。身体運動ＡＢは、（例えば呼吸運動や、外面的には視認できないであろう身体内の解剖学的構造の変位も同様に）ＨＦ共振器ＨＦ−Ｒｅｓの負わされたＱ値の変化をひき起こす。
【００２５】
それは、例えば図２に示されているように周波数に依存した透過特性Ｓ２１［ｄＢ］の変化Ｓ２１Ｄｉｆｆとして（患者身体の息吸込み状態の透過特性Ｓ−２１−ｅと息吐出し状態との間の差として）検出することができる。
【００２６】
さらに、患者１０５の呼吸運動ＡＢは、図３に示された時間ｔ［ｓ］の経過にともなう（息吸込み前後の）透過特性［Ｓ２１−ｅ］−［Ｓ２１−ａ］の時間的変化Ｓ２１Ｄｉｆｆとして測定される。ＭＲＴ用途については、モーションセンサもしくは呼吸センサＡＳとＭＲイメージングとの間の相互障害が殆ど又はできる限り全く生じ得ないように、ＨＦ共振器ＨＦ−Ｒｅｓの共振周波数が磁気共鳴トモグラフィ装置１０１のＭＲ周波数と異なっていると有利である。
【００２７】
使用されるＨＦ共振器ＨＦ−Ｒｅｓの寸法が測定信号の使用される波長よりも明らかに小さい場合に、ＨＦ共振器ＨＦ−Ｒｅｓは、例えば誘導性又は容量性のセンサとして振舞い、ＭＲＴイメージングアンテナ（１０６）のようには振舞わない（又はそのようには殆ど振舞わない）。というのは、誘導性（又は容量性）の近接領域において動作するからである。それによって放射されるＨＦエネルギが最小化される。  
【００２８】
本発明の実施形態は呼吸に対して高感度である。というのは、ＨＦ共振器ＨＦ−Ｒｅｓの測定される透過損失は空気−組織分布に依存し、筋肉組織は吸い込まれた空気に比べて大きなＨＦ損失を持ち得るからである。
【００２９】
透過特性測定は、反射係数の測定のように方向性結合器を必要とせず、測定区域における調整不良に対する過敏性が高くない。本発明による透過特性測定は大きなダイナミックレンジで実行可能であり、反射係数測定よりも曖昧性（零透過および符号変化）が少ない。
【００３０】
ＨＦ共振器ＨＦ−Ｒｅｓは、動作のために近接領域のみが必要であるかぎり、誘導性センサと同様に、無視できる放射でもって動作することができる。
【００３１】
無接触測定が可能である。呼吸センサは、患者１０５の身体の上に置かれて固定されなくてもよい。
【００３２】
本発明の実施形態では、使用されるＨＦ信号が僅かなパワー（例えば、１０ｍＷよりも少なく、好ましくは最大で１ｍＷ）を有し得るかぎり、（ＭＲナビゲータとは違って）ＳＡＲバランスに対する影響は無視できる程度である。
【００３３】
モーションセンサＡＳは、患者用テーブル１０４内に組み込むことができる。このようにして身体との距離が常に等しくなり、他の方法に比べて、目に見える新たな配線ケーブルが不要である。モーションセンサＡＳが患者用テーブル１０４内に組み込まれた場合に、モーションセンサＡＳと患者１０５との間の距離は、そのセンサをトンネル表面の裏側であって、患者の上方に配置する代替案に比べて非常に一定している。
【００３４】
透過特性測定をどのように実施できるかは、当業者にとってwww.wikipedia.deからも公知である。基本的には、例えば準方向透過特性Ｓ２１のような、例えばＳパラメータがネットワークアナライザにより周波数の関数として測定される。例えば、
http //de.wikipedia.org/wiki/Netzwerkanalysator#mediaviewer/File:Vna3.png
に示されているネットワークアナライザを参照されたい。しかし、その他の任意のネットワークアナライザも検討してみるとよい。
【００３５】
図１には、例えば一般的にＨＦフィルタＨＦ−ＦｉｌｔおよびＨＦ信号を検出するためのＨＦ検出器ＨＦ−Ｄｅｔｅｃｔが示されている。
【符号の説明】
【００３６】
１０１              磁気共鳴装置
１０２              中空シリンダ
１０３              管状の空間
１０４              患者用テーブル
１０５              被検体（患者）
１０６              局所コイル装置
１０７              クライマグネット
１０８              高周波アンテナ（ボディコイル）
１０９              パルス生成ユニット
１１０              パルスシーケンス制御ユニット
１１１              高周波増幅器
１１２              傾斜磁場コイル
１１４              傾斜磁場コイル制御ユニット
１１６              高周波前置増幅器
１１７              受信ユニット
１１９              画像処理ユニット
１２０              オペレータコンソール
１２１              メモリユニット
１２２              中央コンピュータユニット
１６７              無線通信
１６８              受信器
ＡＢ                患者の運動
ＡＳ                モーションセンサ（呼吸センサ）
ＢａＢ              腹部範囲
ＢｒＢ              胸部範囲
Ｂ０                主磁場
Ｂ１                高周波励起パルス
ＢＧ                傾斜磁場
Ｃｐｌ−ｉｎ        （入力側）結合コイル
Ｃｐｌ−ｏｕｔ      （出力側）結合コイル
ＣＲ                コンデンサ
ＨＦ−Ｄｔｅｃｔ    ＨＦ検出器
ＨＦ−Ｆｉｔ        ＨＦフィルタ
ＨＦ−Ｒｅｓ        ＨＦ共振器
ＨＦ−Ｓｉ          ＨＦ信号（誘導された電磁場）
ＨＦ−Ｓｉ−ＳｒＳ  ＨＦ生成器（ＨＦ信号源）
ＬＲ                コイル
Ｓ２１              透過特性
Ｓ２１−ａ          息吐出し時の透過特性
Ｓ２１−ｅ          息吸込み時の透過特性
Ｓ２１Ｄｉｆｆ      透過特性の差
【図１】
2016131880.tif 000003
【図２】
2016131880.tif 000004
【図３】
2016131880.tif 000005
【図４】
2016131880.tif 000006